(57)【特許請求の範囲】
【請求項１】
実弾射撃訓練の標的の後方に配置され、前記標的を通過した弾丸を受け止めるバックストップであって、
前記弾丸の進行方向に交差する面に広がる、熱可塑性樹脂からなる熱可塑性樹脂層と、
該熱可塑性樹脂層の反標的側である後側に沿うように配設された、ゴム又はエラストマー樹脂のチップを圧縮つなぎ合わせ成形した圧縮成形ゴム層と、
該圧縮成形ゴム層の後側に収容された多数のゴルフボール状球体の層と、
を備え、
前記熱可塑性樹脂層が前記標的側の面である前面に設けられており、
前記ゴルフボール状球体の層の後側に配設された、ゴム又はエラストマー樹脂のチップを圧縮つなぎ合わせ成形した後側圧縮成形ゴム層と、
該後側圧縮成形ゴム層の後方に沿うように配設された熱可塑性樹脂からなる後側熱可塑性樹脂層と、
該後側熱可塑性樹脂層の後側に、隙間を開けて配設された、金属、セラミック及び／又は高強度樹脂からなる防弾層と、
を備えることを特徴とするバックストップ。
【請求項２】
前記圧縮成形ゴム層が前記熱可塑性樹脂層の後側をバックアップしており、前記弾丸通過時に前記熱可塑性樹脂層の材料が後方に移動するのを抑制することを特徴とする請求項１に記載のバックストップ。
【請求項３】
前記後側圧縮成形ゴム層と前記後側熱可塑性樹脂層を前記弾丸が通過する際に、弾丸通過孔部の後側圧縮成形ゴム層の材料が前記後側熱可塑性樹脂層の弾丸通過孔に持ち込まれ、弾丸通過後、前記の持ち込まれた後側圧縮成形ゴム層の材料を噛む形で、前記後側熱可塑性樹脂層の孔が縮径することを特徴とする請求項１に記載のバックストップ。
【請求項４】
実弾射撃訓練の標的の後方に配置され、前記標的を通過した弾丸を受け止めるバックストップ用の停弾ブロックであって、
前記弾丸の進行方向に交差する面に広がる、熱可塑性樹脂からなる熱可塑性樹脂層と、
該熱可塑性樹脂層の反標的側である後側に沿うように配設された、ゴム又はエラストマー樹脂のチップを圧縮つなぎ合わせ成形した圧縮成形ゴム層と、
該圧縮成形ゴム層の後側に収容された多数のゴルフボール状球体の層と、
を備え、
前記熱可塑性樹脂層が前記標的側の面である前面に設けられており、
前記ゴルフボール状球体の層の後側に配設された、ゴム又はエラストマー樹脂のチップを圧縮つなぎ合わせ成形した後側圧縮成形ゴム層と、
該後側圧縮成形ゴム層の後方に沿うように配設された熱可塑性樹脂からなる後側熱可塑性樹脂層と、
該後側熱可塑性樹脂層の後側に、隙間を開けて配設された、金属、セラミック及び／又は高強度樹脂からなる防弾層と、
を備え、 
複数個重ねるか、及び／又は、並べるかしてバックストップを構成するすることを特徴とするバックストップ用の停弾ブロック。
【請求項５】
前記停弾ブロックの左右側面も圧縮成形ゴム層で覆われていることを特徴とする前記請求項４に記載のバックストップ用の停弾ブロック。
【請求項６】
前記圧縮成形ゴム層が前記熱可塑性樹脂層の後側をバックアップしており、前記弾丸通過時に前記熱可塑性樹脂層の材料が後方に移動するのを抑制することを特徴とする請求項４に記載のバックストップ用の停弾ブロック。
【請求項７】
前記後側圧縮成形ゴム層と前記後側熱可塑性樹脂層を前記弾丸が通過する際に、弾丸通過孔部の後側圧縮成形ゴム層の材料が前記後側熱可塑性樹脂層の弾丸通過孔に持ち込まれ、弾丸通過後、前記の持ち込まれた後側圧縮成形ゴム層の材料を噛む形で、前記後側熱可塑性樹脂層の孔が縮径することを特徴とする請求項４に記載のバックストップ用の停弾ブロック。
【請求項８】
前記バックストップ用の停弾ブロックが鋼板製のフレームを含み、
該フレームの前側端面は、上下・左右方向の中央部に向かって後ろに傾くように面取りなされており、該前側端面の面取りに前記弾丸が当たった場合は、前記弾丸がゴルフボール層に向かうことを特徴とする請求項４〜７のいずれか１項に記載のバックストップ用の停弾ブロック。
【発明の詳細な説明】
【技術分野】
【０００１】
本発明は、実弾射撃訓練場において、標的の後方に配置されて弾丸を停止・回収するバックストップなどに関する。特には、耐久性あるいは経済性の改善されたバックストップなどに関する。さらに、小銃・自動小銃・機関銃などの高速の弾丸をも停弾可能なバックストップなどに関する。
【背景技術】
【０００２】
本発明者は、特開2014−20689において、ゴム材などからなる外覆体内に、粒状停弾部材としてのゴルフボール状球体を収容したバックストップを提案した。このバックストップは、打ち込まれた弾丸に破砕を起こさずに容易に回収することができるなどの特徴を有し、各地の警察施設などに採用され、好評を博している。しかし、拳銃よりも弾丸の速い自動小銃やライフルなどの銃弾を停止させるものとしては、より優れた停弾性を有するバックストップが求められている。また、バックストップの耐久性・経済性を改善することも求められている。
【先行技術文献】
【特許文献】
【０００３】
【特許文献１】特開２０１４−２０６８０９号
【発明の開示】
【発明が解決しようとする課題】
【０００４】
本発明は、自動小銃などから発射される高速の銃弾の停弾性に優れたバックストップを提供することを目的とする。あるいは、より耐久性・経済性の優れたバックストップを提供することを目的とする。
【課題を解決するための手段】
【０００５】
本発明のバックストップは、実弾射撃訓練の標的の後方に配置され、標的を通過した弾丸を受け止めるバックストップであって、弾丸の進行方向に交差する面に広がる、熱可塑性樹脂からなる熱可塑性樹脂層と、該熱可塑性樹脂層の反標的側である後側に沿うように配設された、ゴム又はエラストマー樹脂のチップを圧縮つなぎ合わせ成形した圧縮成形ゴム層と、該圧縮成形ゴム層の後側に収容された多数のゴルフボール状球体の層と、
を備え、
熱可塑性樹脂層が標的側の面である前面に設けられており、
ゴルフボール状球体の層の後側に配設された、ゴム又はエラストマー樹脂のチップを圧縮つなぎ合わせ成形した後側圧縮成形ゴム層と、
該後側圧縮成形ゴム層の後方に沿うように配設された熱可塑性樹脂からなる後側熱可塑性樹脂層と、
該後側熱可塑性樹脂層の後側に、隙間を開けて配設された、金属、セラミック及び／又は高強度樹脂からなる防弾層と、
を備えることを特徴とする。
【０００６】
圧縮成形ゴム層が熱可塑性樹脂板の後側をバックアップしており、弾丸通過時に熱可塑性樹脂層の材料が後方に移動する（押される、引きずられる、溶け出る）のを抑制する。したがって、弾丸通過時に熱可塑性樹脂層に開いた孔が冷えて収縮した後の径寸法は、圧縮成形ゴム層のバックアップがない場合よりも比較的小さくなる。そのため、熱可塑性樹脂にゴルフボール状球体が零れ落ちるような大孔や亀裂が入らず、バックストップの耐久性が増す。また、圧縮成形ゴム層がゴルフボール状球体の層の自重による圧力を支えるので、柔軟な熱可塑性樹脂層が膨らむのを防止できる。この停弾構造のより詳しい具体的構造例や作用については、図１を参照しつつ後述する。
【０００７】
本発明の一つの実施形態に係るバックストップは、上記停弾構造を備え、前記熱可塑性樹脂層が前記標的側の面である前面に設けられていることを特徴とする。このようなバックストップは、特に拳銃や機関拳銃などの比較的銃口初速の遅い銃器用のバックストップに好適である。このバックストップのより詳しい具体的構造例や作用については、図５を参照しつつ後述する。
【０００８】
本発明の他の実施形態に係るバックストップは、上記停弾構造に加えて、さらに、  前記ゴルフボール状球体の層の後側に配設された、ゴム又はエラストマー樹脂のチップを圧縮つなぎ合わせ成形した後側圧縮成形ゴム層と、  該後側圧縮成形ゴム層の後方に沿うように配設された熱可塑性樹脂からなる後側熱可塑性樹脂層と、  該後側熱可塑性樹脂層の後側に、隙間を開けて配設された、金属、セラミック及び／又は高強度樹脂からなる防弾層と、を備えることを特徴とする。このようなバックストップは、特に小銃や自動小銃、機関銃などの比較的銃口初速の速い銃器用のバックストップに好適である。
【０００９】
この他の実施形態に係るバックストップにおいては、弾丸の速度が速い場合、ゴルフボール状球体の層で弾丸が停止せず、後側の圧縮成形ゴム層と熱可塑性樹脂層も弾丸が通過し、最終的には、鋼板などの防弾層で弾丸が停止する前提である。そして、前記後側圧縮成形ゴム板層と前記後側熱可塑性樹脂層を弾丸が通過する際に、弾丸通過孔部の後側圧縮成形ゴム層の材料が後側熱可塑性樹脂層の弾丸通過孔に持ち込まれ、弾丸通過後、前記の持ち込まれた後側圧縮成形ゴム層の材料を噛む形で、前記後側熱可塑性樹脂層の孔が縮径する。そのため、後側熱可塑性樹脂層の損傷も低減される。この停弾構造のより詳しい具体的構造例や作用についても、図３を参照しつつ後述する。
【００１０】
本発明の一つの実施形態に係るバックストップ用停弾ブロックは、上記停弾構造を備え、  前記熱可塑性樹脂層が前記標的側の面である前面に設けられており、  複数個重ねるか、及び／又は、並べるかしてバックストップを構成することを特徴とする。
【００１１】
本発明の他の実施形態に係るバックストップ用停弾ブロックは、さらに、  前記ゴルフボール状球体の層の後側に配設された、ゴム又はエラストマー樹脂のチップを圧縮つなぎ合わせ成形した後側圧縮成形ゴム層と、  該後側圧縮成形ゴム層の後方に沿うように配設された熱可塑性樹脂からなる後側熱可塑性樹脂層と、  該後側熱可塑性樹脂層の後側に、隙間を開けて配設された、金属、セラミック及び／又は高強度樹脂からなる防弾層と、を備え、  複数個重ねるか、及び／又は、並べるかしてバックストップを構成することを特徴とする。
【００１２】
上記停弾ブロックを複数個重ねるか、及び／又は、並べるかしてバックストップを構成すると、標的の中心部の真後ろに位置する停弾ブロックに弾丸が集中することとなる。そして、そのブロックの損傷が比較的激しくなるので、そのブロックの損傷がある程度に達したら、弾丸集中がなく損傷が少ない他のブロックと入れ替えるか、あるいは、そのブロックだけ新品と取り替える。このような停弾ブロックの配置替えや一部取替えにより、バックストップのメンテナンスコストを下げることができる。
【発明の効果】
【００１３】
本発明によれば、より耐久性・経済性の優れたバックストップを提供することができる。さらに、自動小銃などから発射される高速の銃弾の停弾性に優れたバックストップを提供することもできる。
【図面の簡単な説明】
【００１４】
【図１】本発明の停弾構造の模式的な図である。
【図２】本発明の第１実施形態に係るバックストップ用停弾ブロック（小銃用・６層-多ブロックタイプ）の図であって、（Ａ）は平面断面図、（Ｂ）は側面断面図、（Ｃ）は正面図である。
【図３】図２の停弾ブロックにおける後側の圧縮成形ゴム板と熱可塑性樹脂板の相互作用を説明するための模式的な図であって、（Ａ）は、弾丸が通過中の状態であり、（Ｂ）は弾丸が通過した後の状態である。
【図４】図２の停弾ブロックを架台上に５段積み重ねてバックストップを構成した図であり、（Ａ）は正面図、（Ｂ）は側面図である。
【図５】本発明の第２実施形態に係るバックストップ用停弾ブロック（拳銃用・４層-多ブロックタイプ）の構造を示す平面断面図である。
【図６】図５の停弾ブロックを架台上に３段積み重ねた状態の図であり、（Ａ）は正面図、（Ｂ）は側面図である。
【図７】本発明の他の実施形態に係るバックストップ（拳銃用・４層・１ブロックタイプ）の構造を示す図であって、（Ａ）は平面図（一部断面）、（Ｂ）は正面図、（Ｃ）は側面図（一部断面）である。
【符号の説明】
【００１５】
１；停弾構造、３；弾丸、10；停弾ブロック
11；熱可塑性樹脂板、11B；後側熱可塑性樹脂板、11F；前側熱可塑性樹脂板、11b；孔、11k；孔
13；圧縮成形ゴム板、13B；後側圧縮成形ゴム板、13F；前側圧縮成形ゴム板、
13L・13R；左右側面の圧縮成形ゴム板、13k；孔
15；ゴルフボール、16；ゴルフボール層、17；隙間、18；鋼板、18d；取手
19；フレーム、19d；帯板部、
21；下面カバー、23；上面カバー、23b；孔
25；位置決めピン、27；切り欠き、29；ネジ
31；架台、31b；ストッパーアングル、31c；位置決め用ピン、31d；キャスタ、
31e；集弾ボックス
40；停弾ブロック、42；架台、42c；位置決め用ピン
50；バックストップ、51；停弾ブロック、52；フレーム、
53；上面カバー、53b；充填剤投入用の孔、54；底部、54b；メッシュ部材
55；架台
【発明を実施するための形態】
【００１６】
以下、本発明の実施の形態について、図面を参照しながら説明する。
まず図１を参照して、本発明の停弾構造の基本的構成と作用を説明する。図１（Ａ）は、停弾構造１の熱可塑性樹脂板（層、ＴＰＲ板ともいう）11を弾丸３が通過しつつある状態であり、（Ｂ）は弾丸３が圧縮成形ゴム板（層、ＣＦＲ板ともいう）13を通過しつつある状態であり、（Ｃ）は弾丸３が圧縮成形ゴム板13を通過してゴルフボール（状球体）15の層16に進入した状態である。
【００１７】
図１においては、図の左側が弾丸３の飛来する側であり、停弾構造１は、弾丸飛来方向から熱可塑性樹脂板11・圧縮成形ゴム板13・多数のゴルフボール15の層16からなる。熱可塑性樹脂板11は、弾丸の進行方向に交差する面に広がる、熱可塑性樹脂からなる板である。圧縮成形ゴム板13は、熱可塑性樹脂板11のすぐ裏に接してゴルフボール層16との間に配設されている。圧縮成形ゴム板13は、チップ状のゴム又はエラストマー樹脂を、ある程度隙間を持たせて加熱圧縮つなぎ合わせ成形したものである。
【００１８】
熱可塑性樹脂板11は、EVA（エチレン・酢酸ビニル共重合体樹脂）や酢酸ビニルなどの熱可塑性樹脂からなり、厚さは例えば20mm程度が適当である。その製造方法は、一例として、EVAのペレットを、温度200℃〜220℃で時間120分〜150分程度加熱後、全てのペレットが溶けたら30分〜40分程度冷却ファンにて冷却して成形する。この熱可塑性樹脂板11は、弾丸３の通過時にその摩擦熱で溶けて孔11bが開くが（図１（Ｂ））、その後弾丸３から受けた熱が発散されて冷えると、熱可塑性樹脂が収縮して孔11b´は小さくなる（図１（Ｃ））。この熱可塑性樹脂板11と圧縮成形ゴム板13との総合作用については後述する。
【００１９】
圧縮成形ゴム板13は、車のウェザーストリップなど、ゴム（天然ゴム・合成ゴム・エラストマー）のチップを低密度圧縮成形したものであり、厚さは例えば47mm以上が適当である。その製造方法は、一例として、ＥＰＤＭ（エチレン・プロピレン・ジエンゴム）の粒径１〜５mm程度のチップを、接着剤とともに温度160℃、圧力150ｔ（500mm×500mmの板の場合）、時間40分程度で圧縮して成形する。この圧縮成形ゴム板13は、単体で集中弾を受けると孔が開きやすいが、熱可塑性樹脂板11のすぐ後に圧縮成形ゴム板13を配置することにより後述する作用効果を奏する。また、熱可塑性樹脂板11は比較的柔軟で圧力を受けると膨らむが、圧縮成形ゴム板13は比較的剛性が高い。
【００２０】
ゴルフボール状球体は、使用済みあるいは検査不合格品のゴルフボールを利用できる。なお、本発明にいうゴルフボール状球体は、ゴルフボールと同等あるいはそれに近い強度・弾性・硬度・表面摩擦係数・経済性などを有する球体を含む意味である。球体といっても、幾何学上の完全な球を意味するものではなく、多数積み重ねたときに、ある程度の流動性を有するものであればよい。ゴルフボールは、標準的に、外径は４２ｍｍ、重量は４５．５ｇである。
【００２１】
ゴルフボールは、球体のコアの周囲に複数のゴム層を積層したものであり、高い強度・弾性・硬度・耐久性を有している。さらに、ゴルフボールは表面に多数のディンプル（くぼみ）があり、流動性を有するとともに、ボール同士が固着したりすることがない。球体はこのような性質を備えているので、弾丸は球体間を落下しやすく、表面を弾丸が滑りやすい。
【００２２】
多数のゴルフボール15の層16は、停弾性能を発揮するのが主な役割である。この層16の厚さ（弾丸通過方向）は、拳銃や機関拳銃（銃口初速250〜450ｍ程度）の射撃訓練用の場合、２００mm以上が好ましい。小銃や自動小銃（銃口初速700〜900ｍ程度）の場合、ゴルフボール層内でほぼ完全に停弾させるには、層厚800mm程度以上が好ましい。しかしながら、そのような大寸法が許されない場合は、次述する６層構造（図２参照）のものを選択することとなる。
【００２３】
本発明の停弾構造の総合的な作用効果について説明する。弾丸３の熱可塑性樹脂板11進入・通過時に、通過部の熱可塑性樹脂板11を後方に押しあるいは引っ張り、また摩擦熱で溶かす。そのため、熱可塑性樹脂板11の弾丸３通過部には孔11b（図１（Ｂ））が開く。しかしながら、圧縮成形ゴム板13が熱可塑性樹脂板11の後側をバックアップしており、熱可塑性樹脂板11の溶けた素材あるいは柔らかくなった素材が後方に移動するのを抑制している。そのため、熱可塑性樹脂板11に開いた孔11bは圧縮成形ゴム板13がない場合よりも比較的小さい。さらに、孔11b周囲の熱可塑性樹脂素材が冷えると、図１（Ｃ）に示すように、孔11b´はより小さくなる。
【００２４】
圧縮成形ゴム板（層）13は、跳弾防止材として利用されることが多く、弾丸が先端から入射した場合は、弾丸の通過孔は開かない。弾丸は、その形状ゆえに重心が後方にあるため、減速時には飛翔方向に対して垂直方向に回転する傾向がある。そのため、ゴルフボール層16で減速された弾丸は、後方の圧縮成形ゴム板（層）13Bには、一般的に傾いた状態で入射し、接触面積が大きくなるため、後側圧縮成形ゴム板13Bのゴムチップを後方に持っていきやすくなる。しかし、後側圧縮成形ゴム板13Bの後面は後側熱可塑性樹脂板11Bがバックアップしているため、大きい弾丸通過孔が開かない構造となっている。
【００２５】
結局、本発明の停弾構造においては、弾丸３の入る前面の構成を、熱可塑性樹脂板11と、それを後でバックアップする圧縮成形ゴム板13の組合せとし、さらにその後にゴルフボール15の層16を設けて圧縮成形ゴム板13自体も後からバックアップしているため、熱可塑性樹脂板11は弾丸３の集中部（標的の中心部）においても大きな孔が開きづらく、ゴルフボール15がこぼれ出すのを抑止できる。そのため、耐久性に優れたバックストップを提供できる（図８参照、後述）。
【００２６】
図２は、本発明の第１実施形態に係るバックストップ用の停弾ブロック10（小銃用・６層-多ブロックタイプ）の図であって、（Ａ）は平面断面図（一部平面図）、（Ｂ）は側面断面図、（Ｃ）は正面図である。この停弾ブロック10は、熱可塑性樹脂板（層）と圧縮成形ゴム板（層）のペアが、標的側の面である前側、及び、ゴルフボール15の層16を挟んで標的の反対側の面である後側の双方に設けられている。そして、さらに後側の熱可塑性樹脂板11Bの後側に、隙間17を隔てて鋼板18（防弾層）が配置されている。
【００２７】
すなわち、図２の実施形態の停弾ブロック10は、標的側から弾丸の飛翔方向（後方向）に向かって、（１）前側熱可塑性樹脂板11F・（２）前側圧縮成形ゴム板13F・（３）ゴルフボール15の層16・（４）後側圧縮成形ゴム板13B・（５）後側熱可塑性樹脂板11B・（６）鋼板18の６層構造である（隙間17を含むと７層構造）である。
【００２８】
この実施形態の停弾ブロック10においては、前側の熱可塑性樹脂板11Fと圧縮成形ゴム板13Fのペアは、上述の役割「進入する弾丸の集中部におけるゴルフボールこぼれ出し防止」を果たす。ゴルフボール層16は、弾丸の運動エネルギーを奪う役割の層ではあるが、この実施形態の場合、ゴルフボール層16で弾丸を停止させるところまでは意図しておらず、弾丸の速度を落とす役割を果たす。また、ゴルフボール層16において、弾丸３はゴルフボール15に当たって姿勢が変わる（飛翔方向に対して傾いた軸の周りに周る）。
【００２９】
ここで、図３を参照しつつ後側の圧縮成形ゴム板13Bと熱可塑性樹脂板11Bの相互作用について説明する。図３（Ａ）は、弾丸３が通過中の模式的な図であり、（Ｂ）は弾丸３が通過した後の模式的な図である。前述のように、小銃の弾丸３は、この停弾ブロック10のゴルフボール層16では速度は落ちるが停止せず、一般的には姿勢が斜めになった形でゴルフボール層16に当たってそれを通過する。弾丸が当たったゴルフボール15は、変形して、弾丸の運動エネルギーを吸収する。なお、高速の小銃弾では、ゴルフボール15がえぐられて孔が開いたり、割れたりすることもある。
【００３０】
そして、弾丸３は、ゴルフボール層16の後側の圧縮成形ゴム板13Bに当たり、同板13Bに孔13kを開けて通過する。続いて、弾丸３は後側熱可塑性樹脂板11Bにも孔11kを開けて通過する。このとき、通過部の圧縮成形ゴム板13Bの一部材料が熱可塑性樹脂板11Bの孔11kに持ち込まれる。そして、弾丸３の通過後、熱可塑性樹脂板11Bの孔11kの周りが収縮し、上記の持ち込まれた圧縮成形ゴム板13Bの材料を噛む形で、熱可塑性樹脂板11Bの孔11k´は、ほぼ塞がる。結局、この後側の熱可塑性樹脂板と圧縮成形ゴム板のペアも、「通過する弾丸の集中部におけるゴルフボールこぼれ出し防止」の役割を果たす。
【００３１】
両板13B・11Bを通過した弾丸は、両板13B・11Bの後ろの鋼板（防弾層）18に当たって止まり、隙間17を下に落ちる。鋼板18で止まった弾丸や少し跳ね返された弾丸は、隙間17を通って自然落下し、集弾ボックス31eに収集される。
【００３２】
各部の厚さの例は以下である。
熱可塑性樹脂板11；20mm（好適な範囲は上述のとおり）
圧縮成形ゴム板13；47mm（好適な範囲は上述のとおり）
ゴルフボール層16；210mm（好適な範囲は鋼板18の厚さとの関係で後述）
隙間17；24mm（好適な範囲は24mm以上）
鋼板18；12mm（好適な範囲は次述）
【００３３】
防弾層としての鋼板18は、市中で経済的に入手できるSS400などの普通鋼が好適である。より硬く強靭な合金鋼や表面処理鋼、熱処理鋼、さらには高強度合金やセラミック、高強度繊維の織物（ケブラー（登録商標））などを防弾層に採用してもよい。小銃用の停弾ブロック10の場合、鋼板18（SS400）の厚さとゴルフボール層16との関係は以下である。
ゴルフボール層16厚さ800mm以上の場合の鋼板18の厚さ６mm以上。
ゴルフボール層16厚さ400mm以上の場合の鋼板18の厚さ９mm以上。
【００３４】
図２の停弾ブロック10は、左右の側面も圧縮成形ゴム板13L・13Rに覆われている。これら左右の圧縮成形ゴム板13L・13Rは、ゴルフボール15の収容容器の左右壁を構成する。左右の圧縮成形ゴム板13L・13Rに当たった弾丸は、通常、相当減速して圧縮成形ゴム板13 L・13R内で止まる。一部は、ゴルフボール層16に入り込んで止まる。
【００３５】
前側の熱可塑性樹脂板11と、前側の圧縮成形ゴム板13の前面、及び、左右の圧縮成形ゴム板13L・13Rの前側端面の間は、ゴムキャップ付きの鉄製のネジ29（商品名「コーススレッド」；木ネジ）で固定されている。このネジ29に弾丸が当たった場合には、通常、ネジ29は後方に持っていかれ、締結機能が下がる。ネジにゴム足等を追加することにより、ネジの頭を大きくし、機能低下を抑制している。後側の圧縮成形ゴム板13Bと熱可塑性樹脂板11Bとは、鉄製のネジで固定されている。
【００３６】
前側の圧縮成形ゴム板13Fと左右の圧縮成形ゴム板13L・13Bの内側には、フレーム19が嵌合されて配置されている。フレーム19は、図２（Ｃ）に示すように、上下左右の辺を有する枠状のものであり、この実施形態の場合厚さ３mmの鋼板やアングルで作製されている。フレーム19は、上下左右の隅において後側に延びる帯板部19dも有している。
【００３７】
フレーム19の上下面は、上面カバー23と下面カバー21で覆われている。そして、前後左右の圧縮成形ゴム板13と上下のカバー23・21の間の空間に、多数のゴルフボール15が収容されており、ゴルフボール層16が形成されている。なお、ゴルフボール層16と上面カバー23との間には隙間がほとんど無いように、ゴルフボール15が詰められている。フレーム19の前側端面は、上下・左右方向の中央部に向かって後ろに傾くように面取りなされている。このフレーム19の前側端面に弾丸が当たった場合は、弾丸３がゴルフボール層16に向かうように配慮されている。
【００３８】
なお、上面カバー23には、30mm程度の径の孔23bが開けられている。この孔23bは、ゴルフボール15の損耗具合を点検するための孔である。そして、点検に応じて、あるいは定期的に、ゴルフボール15の損耗分だけ、ゴルフボール15を補充する。なお、ゴルフボール層16の上面にある程度以上の隙間があると、その隙間に当たった弾丸３は減速せずに鋼板に当たることとなり好ましくない。
【００３９】
後側の圧縮成形ゴム板13Bは、フレーム19により、前後方向に位置決めされている。鋼板18は、フレーム19後側のアングル材とピン（図示されず）により、前後方向に位置決めされている。鋼板18の後面には、取手18dが設けられており、ブロック40を容易に交換可能な構造としている。
【００４０】
左右の圧縮成形ゴム板13R・13Lの上面の前後方向中央部には、樹脂製の位置決めピン25が立設されている。そして、左右の圧縮成形ゴム板13R・13Lの下面の前後方向中央部には、位置決め切り欠き27が掘り込まれている。これらのピン25と切り欠き27は、複数の停弾ブロック10を上下に積み重ねる（図３参照）場合の上下ブロックの位置決めになる。
【００４１】
図２の停弾ブロック10の外形寸法の一例は、高さ250mm・幅600mm・奥行き（前後厚さ、取手除く）380mmである。上述の各部寸法例・材質例の停弾ブロック10に、距離25ｍから小銃弾約20発を打ち込んだところ、鋼板18の弾丸貫通や弾丸の突き刺さりは見られず、またゴルフボール15の零れ落ちのおそれのある熱可塑性樹脂板11の孔開きも見られなかった。なお、鋼板18は、ある程度消耗品であり、停弾ブロックの交換時には取り替えられる。
【００４２】
図４は、図２の停弾ブロック10を架台31上に５段積み重ねた状態の図であり、（Ａ）は正面図、（Ｂ）は側面図である。架台31はキャスター31d付きであり、移動容易である。架台31上面には、一番下の停弾ブロック10の後下部を押えるストッパーアングル31bが取付けられている。また、同架台31上面には、位置決め用ピン31cも形成されている。
【００４３】
積み重ねられた停弾ブロック10の合計寸法は、高さ1250mmである（幅は１ブロック分の600mmである）。架台31の高さは900mmである。この例は、立射用の標的の後に設置するバックストップである。概ね、上下真ん中の３段目の停弾ブロック10の前に標的の中心が来る。したがって、その３段目の停弾ブロック10に弾丸が集中して、次第に損傷が進む。損傷がある程度に達したら、弾丸集中がなく損傷が少ない他の段の停弾ブロック10と上下入れ替える、あるいは３段目の停弾ブロック10だけ新品と取り替えることにより、バックストップのメンテナンスコストを下げることができる。
【００４４】
図５は、本発明の第２実施形態に係るバックストップ用停弾ブロック40（拳銃用・４層・多ブロックタイプ）の平面断面図である。この停弾ブロック40は、熱可塑性樹脂層と圧縮成形ゴム層のペアが、標的側の面である前面にのみ設けられている。そして、ゴルフボール層16の後側に鋼板18´が配置されている。
【００４５】
すなわち、図５の実施形態の停弾ブロック40は、標的側から弾丸の飛翔方向（後方向）に向かって、（１）前側熱可塑性樹脂板11F・（２）前側圧縮成形ゴム板13F・（３）ゴルフボール15の層16・（４）鋼板18´の４層構造である。
【００４６】
この実施形態の停弾ブロック40においては、前側の熱可塑性樹脂板11Fと圧縮成形ゴム板13Fのペアは、前述の役割「進入する弾丸の集中部のおけるゴルフボールこぼれ出し防止」を果たす。ゴルフボール層16は、弾丸の運動エネルギーを奪う層であり、この実施形態の場合、ゴルフボール層16で拳銃の弾丸をほぼ停止させる。最後部の鋼板18は、ゴルフボール15の容器の後壁の役割を果たすとともに、停弾機能としては念のために設けられているものであり、第１実施形態の鋼板18の厚さよりも薄くてよい。
【００４７】
ゴルフボール層16で停止した弾丸は、ゴルフボール15の間を徐々に下に落ちる。落ちて下に溜まった弾丸は、下部メッシュより、弾丸のみ下部の停弾ブロックに落ちる。
【００４８】
各部の厚さの例は以下である。
熱可塑性樹脂板11；20mm（好適な範囲は上述のとおり）
圧縮成形ゴム板13；47mm（好適な範囲は上述のとおり）
ゴルフボール層16；244mm（好適な範囲は鋼板18の厚さとの関係で後述）
鋼板18´；６mm
【００４９】
図５の停弾ブロック40の外形寸法の一例は、高さ250mm・幅500mm・奥行き（前後厚さ）317mmである。上述の各部寸法例・材質例の停弾ブロック40に、距離25ｍから拳銃弾2000発を打ち込んだところ、弾丸は全てゴルフボール層16に落下しており、鋼板18への弾丸の突き刺さりは見られなかった。またゴルフボール15の零れ落ちのおそれのある熱可塑性樹脂板11孔開きも見られなかった。
【００５０】
図６は、図５の停弾ブロック40を架台42上に３段積み重ねた状態の図であり、（Ａ）は正面図、（Ｂ）は側面図である。同架台42上面には、位置決め用ピン42cが形成されている。
【００５１】
積み重ねられた停弾ブロック40の合計寸法は、高さ750mmである（幅は１ブロック分の500mmである）。架台42の高さは1025mmである。この例は、拳銃立射用の標的の後に設置するバックストップである。概ね、上下真ん中の２段目の停弾ブロック40の前に標的の中心が来る。したがって、その２段目の停弾ブロック40に弾丸が集中して、次第に損傷が進む。損傷がある程度に達したら、弾丸集中がなく損傷が少ない他の段の停弾ブロック40と上下入れ替える、あるいは２段目の停弾ブロック40だけ新品と取り替えることにより、バックストップのメンテナンスコストを下げることができる。
【００５２】
図７は、本発明の他の実施形態に係るバックストップ50・停弾ブロック51（拳銃用・４層・１ブロックタイプ）の図であって、（Ａ）は平面図（一部断面）、（Ｂ）は正面図、（Ｃ）は側面図（一部断面）である。この停弾ブロック51は、停弾構造は図５の停弾ブロック40と同じである。すなわち、停弾構造は、標的側から弾丸の飛翔方向（後方向）に向かって、（１）前側熱可塑性樹脂板11・（２）前側圧縮成形ゴム板13・（３）ゴルフボール15の層16・（４）鋼板18´の４層構造である。
【００５３】
熱可塑性樹脂板11は、正面視で円形（径700mm）である。圧縮成形ゴム板13は、正面視正方形（辺の長さ１ｍ）である。熱可塑性樹脂板11と圧縮成形ゴム板13の正面視の中心位置は同じである。圧縮成形ゴム板13は２分割である。鋼板18´は１ｍ×１ｍの正方形であり、厚さは2.3mmである。
【００５４】
停弾ブロック51の左右の側面と下面は、四角い薄板性のフレーム52で囲われている。フレーム52の上面は、上面カバー53で覆われている。フレーム52内には、ゴルフボール層16と上面カバー53との間には隙間がほとんど無いように、ゴルフボール15が詰められている。上面カバー53には、30mm程度の径の孔53bが開けられている。この孔53bは、ゴルフボール15の損耗具合を点検するための孔である。
【００５５】
フレーム52の底部54には、弾丸取出用のメッシュ部材54bが取付けられている。メッシュ部材54bの網目は、ゴルフボール15の径よりも小さく、弾丸の径・長さよりも大きくなっている。これにより、ゴルフボール15はフレーム53内から出ないが、弾丸はメッシュ部材54bを通過して落下する。なお、ゴルフボール層16で停止した弾丸は、ゴルフボール15の間を徐々に下に落ちる。
【００５６】
図７のバックストップ50は、架台55の上に停弾ブロック51が載っており、停弾ブロック51中心の高さは1090mm、熱可塑性樹脂板11の上端の高さは1440mmである（いずれも一例）。
【図１】
0006343583.tif 000002
【図２】
0006343583.tif 000003
【図３】
0006343583.tif 000004
【図４】
0006343583.tif 000005
【図５】
0006343583.tif 000006
【図６】
0006343583.tif 000007
【図７】
0006343583.tif 000008